(57)【要約】【課題】ユーザが意識することなく、より適切なチャンネルに切り替えることが可能な受信装置及び受信方法等を提供する。【解決手段】移動体に搭載され、複数の放送エリア毎に異なるチャンネルで放送された放送データを受信する受信機Ｓであって、システム制御部２４は、前記放送データを受信するためのチャンネルを設定し、前記移動体の現在位置を示す位置情報を取得し、前記位置情報に示された移動体の現在位置が、予め区分された一の地域から他の地域に変わったか否かを判別し、前記一の地域から他の地域に変わったと判別された場合に、当該一の地域に対応する前記チャンネルから前記他の地域に対応する前記チャンネルに切り替え設定する。【選択図】図３
2007311987.tif 000002
【特許請求の範囲】
【請求項１】
移動体に搭載され、複数の放送エリア毎に異なるチャンネルで放送された放送データを受信する受信装置であって、
前記放送データを受信するためのチャンネルを設定するチャンネル設定手段と、
前記移動体の現在位置を示す位置情報を取得する位置情報取得手段と、
前記位置情報に示された移動体の現在位置が、予め区分された一の地域から他の地域に変わったか否かを判別する位置判別手段と、を備え、
前記チャンネル設定手段は、前記一の地域から他の地域に変わったと判別された場合に、当該一の地域に対応する前記チャンネルから前記他の地域に対応する前記チャンネルに切り替え設定することを特徴とする受信装置。
【請求項２】
請求項１に記載の受信装置において、
各前記地域に対応付けて複数のチャンネルを示す情報を記憶する記憶手段を更に備え、
前記チャンネル設定手段は、前記一の地域から他の地域に変わったと判別された場合に、前記他の地域に対応する前記複数のチャンネルのうち最も受信感度が高いチャンネルに切り替え設定することを特徴とする受信装置。
【請求項３】
請求項１に記載の受信装置において、
各前記地域に対応付けて複数のチャンネルを示す情報を記憶すると共に、各前記複数のチャンネルに対応付けて優先順位を示す情報を記憶する記憶手段を更に備え、
前記チャンネル設定手段は、前記一の地域から他の地域に変わったと判別された場合に、前記他の地域に対応する前記複数のチャンネルのうち優先順位が最も高いチャンネルに切り替え設定することを特徴とする受信装置。
【請求項４】
請求項１乃至３の何れか一項に記載の受信装置において、
前記放送データの受信感度が閾値より低くなったか否かを判断する受信感度判断手段を更に備え、
前記チャンネル設定手段は、前記一の地域に対応する前記チャンネルで放送された放送データの受信感度が閾値より低くなったと判断され、且つ、前記一の地域から他の地域に変わったと判別された場合に、前記一の地域に対応する前記チャンネルから前記他の地域に対応する前記チャンネルに切り替え設定することを特徴とする受信装置。
【請求項５】
請求項１乃至４の何れか一項に記載の受信装置において、
前記放送データは、同一の前記チャンネルで、少なくとも高画質と低画質の複数種類放送されるものであって、
前記複数種類の放送データのうち、何れか一の放送データを選択出力する選択出力手段を更に備え、
前記選択出力手段により低画質の放送データが選択出力されている状態において当該低画質の放送データの受信感度が閾値より低くなったと判断され、且つ、前記一の地域から他の地域に変わった場合と判別された場合に、前記チャンネル設定手段は、前記一の地域に対応する前記チャンネルから前記他の地域に対応する前記チャンネルに切り替え設定することを特徴とする受信装置。
【請求項６】
請求項１乃至５の何れか一項に記載の受信装置において、
前記地域は、行政区画により区分されることを特徴とする受信装置。
【請求項７】
請求項１乃至６の何れか一項に記載の受信装置において、
前記複数の放送エリア毎に異なるチャンネルで放送された放送データは、その内容が同一であることを特徴とする受信装置。
【請求項８】
請求項１乃至７の何れか一項に記載の受信装置において、
郵便番号を設定する郵便番号設定手段を更に備え、
前記郵便番号設定手段は、前記一の地域から他の地域に変わったと判別された場合に、当該一の地域に対応する前記郵便番号から前記他の地域に対応する前記郵便番号に切り替え設定することを特徴とする受信装置。
【請求項９】
複数の放送エリア毎に異なるチャンネルで放送された放送データを受信する受信方法であって、
前記放送データを受信するためのチャンネルを設定する工程と、
前記移動体の現在位置を示す位置情報を取得する工程と、
前記位置情報に示された移動体の現在位置が、予め区分された一の地域から他の地域に変わったか否かを判別する工程と、
前記一の地域から他の地域に変わったと判別された場合に、当該一の地域に対応する前記チャンネルから前記他の地域に対応する前記チャンネルに切り替え設定する工程と、
を備えることを特徴とする受信方法。
【請求項１０】
移動体に搭載され、複数の放送エリア毎に異なるチャンネルで放送された放送データを受信するコンピュータを、
前記放送データを受信するためのチャンネルを設定するチャンネル設定手段、
前記移動体の現在位置を示す位置情報を取得する位置情報取得手段、及び、
前記位置情報に示された移動体の現在位置が、予め区分された一の地域から他の地域に変わったか否かを判別する位置判別手段として機能させ、
前記チャンネル設定手段は、前記一の地域から他の地域に変わったと判別された場合に、当該一の地域に対応する前記チャンネルから前記他の地域に対応する前記チャンネルに切り替え設定することを特徴とする受信処理プログラム。
【請求項１１】
請求項１０に記載の受信処理プログラムが、コンピュータに読み取り可能に記録されていることを特徴とする記録媒体。
【発明の詳細な説明】
【技術分野】
【０００１】
本願は、移動体に搭載され、複数の放送エリア毎に異なるチャンネルで放送された放送データを受信する受信装置等の技術分野に関する。
【背景技術】
【０００２】
従来の地上テレビジョン放送（地上アナログテレビジョン放送）に代わる次世代放送として、地上波のＵＨＦ（Ultra High Frequency）帯を利用した地上デジタル放送が開始されている。この放送は、従来の地上テレビジョン放送に対し、高画質、高音質、データ放送の実現等を特徴とするものであり、現在、その受信装置の普及が進んでいる。
【０００３】
わが国においては、地上デジタルテレビジョン放送に、ＩＳＤＢ−Ｔ（Integrated Services Digital Broadcasting-Terrestrial）規格が採用されている。この規格は、変調方式にＯＦＤＭ（Orthogonal Frequency Division Multiplexing）方式を採用したもので、一つのキャリア（搬送波）を多数のサブキャリア（副搬送波）に分割し、デジタル変調信号の直交性を利用して隣接するサブキャリアとの間で信号が干渉しないように周波数軸上で一部重ねて変調信号を生成することにより、周波数の利用効率を向上させて広帯域伝送を実現するものである。なお、各サブキャリアの変調には夫々異なる変調方式を用いることが可能である。
【０００４】
上記ＩＳＤＢ−Ｔにおいては、この多数（例えば、5617本）のサブキャリアを１３のセグメントに分け、そのうちの１２のセグメントを固定受信向けの放送に、残りの１セグメントを１セグメント（ワンセグ）放送と呼ばれる移動体向けの放送に割り当てている。固定受信向けの放送においては、高画質を実現するために、例えば、変調方式を６４ＱＡＭ（Quadrature Amplitude Modulation）、畳み込みの符号化率を７／８、動画圧縮方式をＭＰＥＧ２（Moving Picture Experts Group 2）としてデータ転送速度を上げているが、受信状態が頻繁に変化するような移動可能な環境に受信装置が置かれている場合には、マルチパスフェージング等の影響を受けやすく、安定した受信を行うことは難しい。一方、１セグメント放送においては、例えば、変調方式をＱＰＳＫ（Quadrature Phase Shift Keying）、畳み込みの符号化率を２／３、動画圧縮をＨ．２６４とすることにより、低画質ではあるが、データ誤りに対する耐性が高くなるようにして、かかる移動環境における安定した放送の受信を可能としている。
【０００５】
従来から、自動車等の移動体に搭載されるような受信装置では、固定受信向け放送を受信可能となっているものも多いが、近年、１セグメント放送の開始に向けて、この１セグメント放送への対応が進みつつある。
【０００６】
こうした両放送に対応した受信装置としては、例えば、特許文献１に開示されている。この受信装置は、受信しているＯＤＦＭ信号を固定受信向け放送の信号と１セグメント放送の信号とに分離し、ＯＤＦＭ信号の受信品質が良い場合には固定受信向け放送の信号を表示装置等に対して出力し、その受信品質が良くない場合には１セグメント放送の信号を出力するようになっている。その結果、高画質と広いサービスエリアを確保することができるとしている。
【特許文献１】特開２００５−２２３５４９号公報
【発明の開示】
【発明が解決しようとする課題】
【０００７】
ところで、地上デジタルテレビジョン放送においては、同一の放送局（例えば、ＮＨＫ総合・東京）であっても、放送エリア毎に異なるチャンネル（例えば、１つのチャンネルで６ＭＨｚの周波数帯域が割り当てられる）で放送する方式（多周波ネットワーク（Multi-Frequency Network））を採用している場合が多い。例えば、親局（例えば、東京都港区の東京タワー（放送所））で放送されるチャンネルと、中継局（例えば、神奈川県平塚市の放送所や、群馬県渋川市の放送所）で放送されるチャンネルと、が異なっており、例えば、親局である東京都港区の東京タワーのチャンネルで放送された放送データの受信感度は東京都から離れるに従い低下し、一方、中継局である群馬県渋川市の放送所のチャンネルで放送された放送データの受信感度は群馬県から離れるに従い低下する。
【０００８】
従って、例えば、親局である東京都港区の東京タワーから放送されるチャンネルを選局している受信装置を搭載した自動車等の移動体が、東京都から群馬県へ移動する場合、その途中で、中継局である群馬県渋川市の放送所から放送されるチャンネルに切り替えなければ、放送データの受信が困難となり、ユーザは放送データの内容を視聴することが困難となる。一方で、ユーザは、放送データの内容を視聴し難くなったとき、自らチャンネルを切り替えることも考えられるが、これはユーザにとって煩雑である。
【０００９】
本願は、以上の点に鑑みてなされたものであり、その課題の一例は、ユーザが意識することなく、より適切なチャンネルに切り替えることが可能な受信装置及び受信方法等を提供することにある。
【課題を解決するための手段】
【００１０】
上記課題を解決するために、請求項１に記載の発明は、移動体に搭載され、複数の放送エリア毎に異なるチャンネルで放送された放送データを受信する受信装置であって、前記放送データを受信するためのチャンネルを設定するチャンネル設定手段と、前記移動体の現在位置を示す位置情報を取得する位置情報取得手段と、前記位置情報に示された移動体の現在位置が、予め区分された一の地域から他の地域に変わったか否かを判別する位置判別手段と、を備え、前記チャンネル設定手段は、前記一の地域から他の地域に変わったと判別された場合に、当該一の地域に対応する前記チャンネルから前記他の地域に対応する前記チャンネルに切り替え設定することを特徴とする。
【００１１】
請求項９に記載の発明は、複数の放送エリア毎に異なるチャンネルで放送された放送データを受信する受信方法であって、前記放送データを受信するためのチャンネルを設定する工程と、前記移動体の現在位置を示す位置情報を取得する工程と、前記位置情報に示された移動体の現在位置が、予め区分された一の地域から他の地域に変わったか否かを判別する工程と、前記一の地域から他の地域に変わったと判別された場合に、当該一の地域に対応する前記チャンネルから前記他の地域に対応する前記チャンネルに切り替え設定する工程と、を備えることを特徴とする。
【００１２】
請求項１０に記載の受信処理プログラムの発明は、移動体に搭載され、複数の放送エリア毎に異なるチャンネルで放送された放送データを受信するコンピュータを、前記放送データを受信するためのチャンネルを設定するチャンネル設定手段、前記移動体の現在位置を示す位置情報を取得する位置情報取得手段、及び、前記位置情報に示された移動体の現在位置が、予め区分された一の地域から他の地域に変わったか否かを判別する位置判別手段として機能させ、前記チャンネル設定手段は、前記一の地域から他の地域に変わったと判別された場合に、当該一の地域に対応する前記チャンネルから前記他の地域に対応する前記チャンネルに切り替え設定することを特徴とする。
【００１３】
請求項１１に記載の記録媒体の発明は、請求項１０に記載の受信処理プログラムが、コンピュータに読み取り可能に記録されていることを特徴とする。
【発明を実施するための最良の形態】
【００１４】
以下、図面を参照して本願の最良の実施形態について詳細に説明する。なお、以下に説明する実施の形態は、自動車に搭載される地上デジタルテレビ受信機に対して本願を適用した場合の実施形態である。
【００１５】
［１．地上デジタルテレビ受信機の構成］
先ず、本実施形態に係る地上デジタルテレビ受信機Ｓ（本願の受信装置の一例）の構成について、図１を用いて説明する。
【００１６】
図１は、本実施形態に係る地上デジタルテレビ受信機Ｓの概要構成の一例を示す図である。なお、以下の説明においては、地上デジタルテレビ受信機を、単にＴＶ受信機と称することとする。
【００１７】
図１に示すように、ＴＶ受信機Ｓは、チューナ部１１と、復調・復号部１２と、分離部１３と、１セグメントデコーダ部１４と、１２セグメントデコーダ部１５と、選択出力手段の一例としてのスイッチ部１６と、映像処理部１７と、ディスプレイ１８と、音声処理部１９と、スピーカ２０と、ＧＰＳ（Global Positioning System）部２１と、操作部２２と、記憶手段の一例としての記憶部２３と、チャンネル設定手段、位置情報取得手段、位置判別手段、及び受信感度判断手段の一例としてのシステム制御部２４と、を備え、図示せぬ放送局の放送所から所定のチャンネルで放送されたＩＳＤＢ−Ｔ規格の放送データ（放送信号）を受信して、移動体受信向けの１セグメント放送と、固定受信向けの１２セグメント放送（高画質高音質のＨＤＴＶ（High Definition TeleVision）と標準的なＳＤＴＶ（Standard Definition TeleVision）とがある）のいずれか一方の映像及び音声を出力するようになっている。このような構成の装置としては、例えば、ＴＶ受信機を搭載したカーナビゲーション装置に適用することができる。
【００１８】
１セグメント放送においては、その映像の画質は低い（低画質）が（例えば、動画圧縮方式Ｈ．２６４、フレーム速度１５、解像度３２０×２４０等）、データ誤りに対する耐性（品質の一例）が高くなっている（例えば、変調方式ＱＰＳＫ、符号化率２／３等）。一方、１２セグメント放送においては、その映像の画質は高い（高画質）が（例えば、動画圧縮方式はＭＰＥＧ２Ｖｉｄｅｏ、フレーム速度３０、解像度１４４０×１０８０等）、データ誤りに対する耐性は低い（変調方式を６４ＱＡＭ、符号化率を７／８等）。なお、同一チャンネルにおける１セグメント放送と１２セグメント放送の番組内容は基本的には同一である。
【００１９】
チューナ部１１は、システム制御部２４の制御により指定されたチャンネルの周波数帯域に同調し、当該周波数帯域で放送された放送データをアンテナＡＴ１を介して受信して中間周波信号を生成し、この中間周波信号を復調・復号部１２に出力するようになっている。
【００２０】
復調・復号部１２は、チューナ部１１から供給された中間周波信号に対して、Ａ／Ｄ変換、直交復調処理、高速フーリエ変換、キャリア復調、ビタビ復号、トランスポートストリーム再生、リードソロモン復号等を施してトランスポートストリームＴＳを生成し、このストリームＴＳを分離部１３に出力するようになっている。このトランスポートストリームＴＳは、ＴＳパケットが連続した信号列であり、当該ＴＳパケットには、パケットヘッダ部とペイロード部（ＴＳペイロード）が含まれており、当該ペイロード部におけるＰＳＩ（番組特定情報）のＮＩＴにはＴＳ識別コード（各トランスポートストリームＴＳに割り当てられる固有の識別子）が含まれている。また、このＴＳ識別コードは、例えば放送局毎に固有となっており、例えば復調・復号部１２からシステム制御部２４に供給される。
【００２１】
分離部１３は、復調・復号部１２から供給されたトランスポートストリームＴＳをＴＳパケット毎に１セグメント放送用と１２セグメント放送用のストリームに分離し、１セグメント放送用のトランスポートストリームＴＳは１セグメントデコーダ部１４に、１２セグメント放送用のトランスポートストリームＴＳは１２セグメントデコーダ部１５に、夫々出力するようになっている。
【００２２】
１セグメントデコーダ部１４は、分離部１３から供給された１セグメント放送用のトランスポートストリームＴＳを映像ストリームと音声ストリームとに分離し、夫々のストリームを所定規格（例えば、映像はＨ．２６４、音声はＭＰＥＧ４−ＡＡＣ（Advanced Audio Coding）等）に基づいて映像データ及び音声データ（以下、単に映像・音声データと称する）に変換し、これらの信号をスイッチ部１６に出力するようになっている。
【００２３】
１２セグメントデコーダ部１５は、分離部１３から供給された１２セグメント放送用のトランスポートストリームＴＳを映像ストリームと音声ストリームとに分離し、夫々のストリームを所定規格（例えば、映像はＭＰＥＧ２−Ｖｉｄｅｏ、音声はＭＰＥＧ２−ＡＡＣ等）に基づいて映像・音声データに変換し、これらの信号をスイッチ部１６に出力するようになっている。
【００２４】
なお、１セグメントデコーダ部１４及び１２セグメントデコーダ部１５は、放送データに含まれる映像・音声データの受信感度を示す情報（例えば、信号振幅）をシステム制御部２４に供給する。
【００２５】
スイッチ部１６は、システム制御部２４による制御に基づき、１セグメントデコーダ部１４から供給された映像・音声データと、１２セグメントデコーダ部１５から供給された映像・音声データのうちのいずれか一方の映像・音声データを選択出力するようになっている（映像データは映像処理部１７に、音声データは音声処理部１９に出力される）。
【００２６】
映像処理部１７は、スイッチ部１６から供給された映像データに対して、Ｄ／Ａ変換、ガンマ補正、明度・コントラスト調整等を施して映像信号を生成し、この信号をディスプレイ１８に出力するようになっている。
【００２７】
ディスプレイ１８は、画像処理部１７から供給された映像信号に基づいてディスプレイパネルを駆動することにより、映像を画面に表示するようになっている。
【００２８】
音声処理部１９は、スイッチ部１６から供給された音声データに対して、Ｄ／Ａ変換、増幅等を施して音声信号を生成し、この信号をスピーカ２０に出力するようになっている。
【００２９】
スピーカ２０は、音声処理部１９から供給された音声信号に基づいてコーンを振動駆動することにより、可聴周波数の音波として音声を出力するようになっている。
【００３０】
ＧＰＳ部２１は、ＧＰＳ（Global Positioning System）受信機等を備え、衛星軌道上に配置され地球を周回するＧＰＳ衛星から出力される航法電波を、アンテナＡＴ２を介して受信し、受信した信号に基づいて現在位置情報（経度及び緯度）を検出し、現在位置情報に対応するエリアコードをシステム制御部２４へ供給するようになっている。
【００３１】
記憶部２２は、例えばハードディスクドライブや、EPROM,EEPROM等の不揮発性メモリからなり、ここには、各種データやプログラム、更には、エリアコードと地域識別コードの対応付けテーブル、地域識別コードとＴＳ識別コードとの対応付けテーブル、及びＴＳ識別コードとチャンネルとの対応付けテーブル等が予め記憶されている。
【００３２】
図２は、記憶部２２に記憶された各テーブルの内容の一部を示す図であり、図２（Ａ）は、エリアコードと地域識別コード等の対応付けテーブル１の一例を、図２（Ｂ）は、地域識別コードとＴＳ識別コード等との対応付けテーブル２の一例を、図２（Ｃ）は、ＴＳ識別コードとチャンネル番号との対応付けテーブル３の一例を、夫々示している。
【００３３】
ここで、エリアコードは、２桁の都道府県コードと、３桁の市区町村コードから構成されており、例えば、エリアコードが「１１２０１」である場合、上位の「１１」は都道府県コード（JISX0401規格（日本工業規格の一つ）により規定）を示し、下位の「２０１」は市区町村コード（JISX0402規格（日本工業規格の一つ）により規定）を示しており、市区町村単位で固有となっている。また、地域識別コードは、予め区分された地域毎に固有の識別子であり、本実施形態においては、この地域を東京都、埼玉県、神奈川県等の行政区画としている。更に、各エリアコードに対しては一つの郵便番号が割り当てられている。郵便番号は市区町村よりも更に細分化されているため、１つのエリアコードに複数の郵便番号が対応付けられているものがある（複数のエリアコードの各々に同じ郵便番号が割り当てられているものもある）が、本実施形態では、その場合に１つの代表の郵便番号が割り当てられている。なお、現在位置に対応する郵便番号は、ＴＶ受信機Ｓ内に設定されるようになっており、ＴＶ受信機Ｓは、当該設定された郵便番号に対応する地域の天気予報情報や選挙速報等のデータ放送コンテンツを取得可能になっている。
【００３４】
従って、図２（Ａ）に示すテーブル１により、現在位置がどの地域に該当するか（言い換えれば、どの地域内にあるか）を特定することができ、また、現在位置に対応する郵便番号を特定することができる。
【００３５】
また、図２（Ｂ）に示すテーブル２では、各地域（地域識別コード）に対して複数のＴＳ識別コードが対応付けられている。これにより、ある地域（例えば、埼玉県）で放送されている複数の放送局（ＴＳ名）、及びこれらから放送されているトランスポートストリームＴＳに対応するＴＳ識別コードを特定することができる。そして、これら複数のトランスポートストリームＴＳのうち、現在受信中（選局中）の放送データに含まれるトランスポートストリームＴＳに対応するＴＳ識別コードを特定することができる。
【００３６】
また、図２（Ｃ）に示すテーブル３では、各地域及びＴＳ識別コードに対して複数のチャンネル番号（チャンネルを示す情報の一例）が対応付けられており（ある地域に対しては１つのチャンネル番号が対応付けられるように構成しても良い）、例えば、埼玉県には、親局である東京都港区の東京タワーから放送される周波数帯域に対応するチャンネル２７、中継局である神奈川県平塚市の放送所から放送される周波数帯域に対応するチャンネル１９、及び中継局である群馬県渋川市の放送所から放送される周波数帯域に対応するチャンネル３７等が対応付けられている。なお、これらの複数のチャンネルに対応する周波数帯域で放送される放送データの内容は互いに同一である。
【００３７】
更に、これらの各チャンネルには、優先順位を示す番号（優先順位を示す情報の一例）が対応付けられており、図２（Ｃ）に示す埼玉県では、優先順位を示す番号として、チャンネル２７には「１」が、チャンネル１９には「２」が、チャンネル３７には「３」が夫々対応付けられている。ここでは、この優先順位を示す番号が若い（「１」に近い）ほど優先順位が高く、また、優先順位が高いチャンネルほど、当該地域において放送データの受信感度が高いものとなっている。
【００３８】
操作部２３は、各種ボタン等を備え、ユーザ（運転手、同乗者等）による操作内容を指示信号としてシステム制御部２４に出力するようになっている。この指示信号に基づき、システム制御部２４により電源のＯＮ／ＯＦＦやチャンネル切り換え等の制御が行われる。
【００３９】
システム制御部２４は、ＣＰＵ（Central Processing Unit）、ＲＡＭ（Random Access Memory）、ＲＯＭ（Read Only Memory）等を備え、ＣＰＵが、ＲＯＭ等に記憶された各種制御プログラム（受信処理プログラムを含む）を読み出し実行することにより、ＴＶ受信機Ｓ全体を統括制御するとともに、チャンネル設定手段、位置情報取得手段、位置判別手段、受信感度判断手段、及び郵便番号設定手段として機能するようになっている。
【００４０】
具体的には、システム制御部２４は、例えば操作部２３からの指示信号等にしたがって放送データを受信するためのチャンネルを設定（選局）しチューナ部１１に対して周波数帯域を指定する。
【００４１】
そして、システム制御部２４は、ＧＰＳ部２１から現在位置情報に対応するエリアコード（現在位置が含まれる市区町村に対応するエリアコード）を取得し、自動車の現在位置が、予め区分された一の地域（例えば、埼玉県）から他の地域（群馬県）に変わったか（移動した）否かを判別し、一の地域から他の地域に変わったと判別した場合に、当該一の地域に対応するチャンネル（今まで選局していたチャンネルに対応）から他の地域に対応するチャンネルに切り替え設定するようになっている。このとき、システム制御部２４は、上記テーブル３に当該他の地域に対応付けられて複数のチャンネル番号が登録されている場合、それらのうち優先順位が最も高いチャンネル番号に対応するチャンネル（言い換えれば、当該複数のチャンネルのうち最も受信感度が高いチャンネル）に切り替え設定することが望ましい。
【００４２】
また、システム制御部２４は、１セグメントデコーダ部１４及び１２セグメントデコーダ部１５から放送データの受信感度を示す情報を取得し、受信中（選局中）の放送データの受信感度が閾値より低くなったか否かを判断するようになっている。このことより、システム制御部２４は、一の地域に対応するチャンネルで放送された放送データの受信感度が閾値より低くなったと判断し、且つ、一の地域から他の地域に変わったと判別した場合にはじめて、上述の如く、一の地域に対応するチャンネルから他の地域に対応するチャンネルに切り替え設定する（言い換えれば、一の地域から他の地域に変わった場合であっても、一の地域に対応するチャンネルで放送された放送データの受信感度が閾値より高い場合にはチャンネルの切り替え設定を行わない）ように構成しても良い。
【００４３】
更にまた、システム制御部２４は、スイッチ部１６により１セグメントデコーダ部１４から供給された映像・音声データが選択出力されている状態において当該映像・音声データの受信感度が閾値より低くなったか否かを１セグメントデコーダ部１４からの受信感度を示す情報に基づき判断し、当該受信感度が閾値より低くなったと判断し、且つ、一の地域から他の地域に変わった場合と判別された場合にはじめて、上述の如く、一の地域に対応するチャンネルから他の地域に対応するチャンネルに切り替え設定するように構成しても良い。例えば、システム制御部２４は、スイッチ部１６により１２セグメントデコーダ部１５から供給された映像・音声データが選択出力されている状態において当該映像・音声データの受信感度が閾値より低くなったと判断した場合に、まずは１セグメントデコーダ部１４から供給された映像・音声データを選択出力するようにスイッチ部１６を切替制御し、それでもなお受信感度が閾値より低い場合であって、且つ、一の地域から他の地域に変わった場合と判別された場合にはじめて、上述の如く、一の地域に対応するチャンネルから他の地域に対応するチャンネルに切り替え設定する。
【００４４】
なお、本願の受信処理プログラムは、例えば、インターネット等に接続された所定のサーバに記憶保存しておき、図示しない通信手段を通じて当該サーバからＴＶ受信機Ｓにダウンロードして記憶部２３に記憶されるものであっても良いし、或いは、ＣＤ−ＲＯＭ等の記録媒体からドライブ等を介してＴＶ受信機Ｓに読み込まれ記憶部２３に記憶されるように構成しても良い。
【００４５】
［２．地上デジタルテレビ受信機の動作］
次に、ＴＶ受信機Ｓの動作について、実施例１と実施例２とに分けて説明する。
【００４６】
（実施例１）
先ず、実施例１について図３を用いて説明する。
【００４７】
図３は、実施例１におけるシステム制御部２４の切替処理を示すフローチャートである。なお、図３の処理は、例えばＴＶ受信機Ｓの電源がＯＮになったときに開始され、記憶部２２から上述したテーブル１〜３（図２（Ａ）〜（Ｃ))がＲＡＭに読み込まれる（実施例２も同様）。また、図３に示す処理が実行されている間に、ユーザが操作部２３を操作してチャンネル切替操作を行った場合には、システム制御部２４は当該操作部２３からの指示信号等にしたがって当該チャンネルに対応するチャンネルに切替設定することになる（実施例２も同様）。
【００４８】
図３に示すステップＳ１では、システム制御部２４は、ＧＰＳ部２１からエリアコードを取得（ＲＡＭに記憶）する。
【００４９】
次いで、システム制御部２４は、今回取得したエリアコードと、以前に取得しＲＡＭに記憶しておいたエリアコード（以下、「ラストエリアコード」という）とを比較し、異なるか否かを判別する（ステップＳ２）。この判別結果、今回取得したエリアコードとラストエリアコードとが異ならない（一致する）場合には（ステップＳ２：Ｎ）、ラストエリアコードを維持し、ステップＳ１に戻る。
【００５０】
一方、今回取得したエリアコードとラストエリアコードが異なる場合には（ステップＳ２：Ｙ）、システム制御部２４は、テーブル１を参照して今回取得したエリアコードに対応する地域識別コードを取得し（ステップＳ３）、ラストエリアコードを今回取得したエリアコードに更新する（ステップＳ４）。
【００５１】
次いで、システム制御部２４は、今回取得したエリアコードに対応する郵便番号（代表の郵便番号）をテーブル１から取得し、以前に設定されていた郵便番号（代表の郵便番号）を、当該取得した郵便番号に切替設定する（ステップＳ５）。これにより、ユーザが現在位置に対応する郵便番号を知らなくても（通常、ユーザは現在位置に対応する郵便番号を知っている場合が少ない）、かかる郵便番号の自動切替により、その地域にあった天気予報情報や選挙速報等のデータ放送コンテンツをＴＶ受信機Ｓが取得し、ユーザに提示（表示又は音声出力）することができ、ユーザにとって非常に利便性が高い。なお、ステップＳ５の処理を、後述（ステップＳ６にて）するように、今回取得した地域識別コードとラスト地域識別コードとが異なる（つまり、一の地域から他の地域に変わっている）場合に行うようにしても構わない。
【００５２】
次いで、システム制御部２４は、今回取得した地域識別コードと、以前に取得しＲＡＭに記憶しておいた地域識別コード（以下、「ラスト地域識別コード」という）とを比較し、異なるか否か、つまり、自動車の現在位置が一の地域（例えば、埼玉県）から他の地域（群馬県）に変わったか（移動した）否か、を判別する（ステップＳ６）。この判別結果、今回取得した地域識別コードと、ラスト地域識別コードが一致する（つまり、一の地域から他の地域に変わっていない）場合には（ステップＳ６：Ｎ）、ラスト地域識別コードを維持し、ステップＳ１に戻る。
【００５３】
一方、今回取得した地域識別コードとラスト地域識別コードとが異なる（つまり、一の地域から他の地域に変わっている）場合には（ステップＳ６：Ｙ）、システム制御部２４は、現在受信中（選局中）の放送データに含まれるトランスポートストリームＴＳに対応するＴＳ識別コードを例えば復調・復号部１２から取得し、ラスト地域識別コードを今回取得した地域識別コードに更新する（ステップＳ７）。
【００５４】
次いで、システム制御部２４は、当該取得したＴＳ識別コードが、今回取得した地域識別コードに対応付けられたＴＳ識別コードに含まれているか否かをテーブル２を参照して判別する（ステップＳ８）。この判別結果、取得したＴＳ識別コードが含まれていない場合には（ステップＳ８：Ｎ）、ステップＳ１に戻る。
【００５５】
一方、取得したＴＳ識別コードが含まれている（つまり、当該取得したＴＳ識別コードが今回取得した地域識別コードに対応付けられてテーブル２に登録されている）場合には（ステップＳ８：Ｙ）、システム制御部２４は、当該取得したＴＳ識別コード及び今回取得した地域識別コード（他の地域に対応）に対して複数のチャンネル番号が対応付けられているか否かをテーブル３を参照して判別する（ステップＳ９）。この判別結果、複数のチャンネル番号ではなく、１つのチャンネル番号のみが対応付けられている場合には（ステップＳ９：Ｎ）、システム制御部２４は、当該チャンネル番号に対応する周波数帯域をサーチし(ステップＳ１０)、当該サーチした周波数帯域で受信できた場合には（ステップＳ１１：Ｙ）、当該サーチしたチャンネル番号に対応するチャンネルに切り替え設定し（ステップＳ１２）、チャンネルの自動切替を行った旨をディスプレイ１８に表示させると共に、チューナ部１１に対してこの周波数帯域を指定し、ステップＳ１に戻る。一方、当該サーチした周波数帯域で受信できない場合には（ステップＳ１１：Ｎ）、システム制御部２４は、その旨をディスプレイ１８に表示させ、ステップＳ１０に戻り、同様の処理を繰り返す。
【００５６】
一方、複数のチャンネル番号が対応付けられている（つまり、上記他の地域に対応付けられて複数のチャンネル番号がテーブル３に登録されている）場合には（ステップＳ９：Ｙ）、システム制御部２４は、テーブル３に登録されている複数のチャンネル番号のうち優先順位が高い順にその周波数帯域をサーチ（例えば、他の地域が、図２（Ｃ）に示す群馬県であった場合には、チャンネル３７→チャンネル２７→チャンネル４７→チャンネル１９の順に周波数帯域をサーチ（これにより、全ての周波数帯域をシークする必要がない））し(ステップＳ１３)、当該サーチした周波数帯域で受信できた（最も優先順位が高いチャンネル番号に対応する周波数帯域で受信できた場合には、１回のサーチで済むことになる）場合には（ステップＳ１４：Ｙ）、当該サーチしたチャンネル番号に対応するチャンネルに切り替え設定し（ステップＳ１２）、チャンネルの自動切替を行った旨をディスプレイ１８に表示させると共に、チューナ部１１に対してこの周波数帯域を指定し、ステップＳ１に戻る。一方、当該サーチした全ての周波数帯域で受信できない場合には（ステップＳ１４：Ｎ）、システム制御部２４は、その旨をディスプレイ１８に表示させ、ステップＳ１３に戻り、同様の処理を繰り返す。
【００５７】
以上説明したように、実施例１によれば、ＧＰＳ部２１から現在位置情報に対応するエリアコードを取得し、当該エリアコードにより特定された自動車の現在位置が、予め区分された一の地域（例えば、埼玉県）から他の地域（群馬県）に変わったか（移動した）否かを地域識別コードにより判別し、一の地域から他の地域に変わったと判別した場合に、当該一の地域に対応するチャンネルから他の地域に対応するチャンネルに切り替え設定するように構成したので、ユーザが意識することなく、より適切なチャンネルに自動的に切り替えることができ、ユーザは違和感無く放送データの内容を視聴することができる。
【００５８】
また、各地域（地域識別コード）に対応付けて複数のチャンネル番号をテーブル３に登録しておき、それらのうち優先順位が最も高いチャンネル番号に対応するチャンネル（言い換えれば、当該複数のチャンネルのうち最も受信感度が高いチャンネル）に切り替え設定するように構成したので、ユーザは、より違和感無く放送データの内容を視聴することができる。
【００５９】
なお、上記ステップＳ１０及びステップＳ１３において、システム制御部２４は、現在設定されているチャンネルで放送された放送データの受信感度が閾値より低くなったか否かを判断し、閾値より低くなった場合に、上記周波数帯域のサーチを行うように構成すれば（つまり、受信感度が十分な場合にはサーチを行わず現在設定されているチャンネルの周波数帯域を保持）、より効率良くチャンネルの自動切替を行うことができる。
【００６０】
（実施例２）
次に、実施例２について図４等を用いて説明する。
【００６１】
図４は、実施例２におけるシステム制御部２４の切替処理を示すフローチャートである。
【００６２】
図４に示すステップＳ２１では、システム制御部２４は、スイッチ部１６により１２セグメント放送が選択出力されているか否かを判別し、１２セグメント放送に係る放送データが選択出力されている（つまり、１２セグメントデコーダ部１５から供給された映像・音声データが選択出力されている）場合には（ステップＳ２１：Ｙ）、ステップＳ２２へ進み、１２セグメント放送に係る放送データが選択出力されていない（つまり、１セグメントデコーダ部１４から供給された映像・音声データが選択出力されている）場合には（ステップＳ２１：Ｎ）、ステップＳ２５へ進む。
【００６３】
ステップＳ２２では、システム制御部２４は、１２セグメントデコーダ部１５から受信感度を示す情報を取得し、１２セグメント放送の受信感度が閾値より低いか否かを判断し（閾値より低くなるまで監視）、閾値より低い場合には（ステップＳ２２：Ｙ）、ステップＳ２３に進む。
【００６４】
ステップＳ２３では、システム制御部２４は、現在受信中の放送データに１セグメント放送用のトランスポートストリームＴＳが含まれているか否かを判別し、含まれている場合には（ステップＳ２３：Ｙ）、１セグメントデコーダ部１４から供給された映像・音声データを選択出力するようにスイッチ部１６に対して選択切替信号を出力する（ステップＳ２４）。つまり、１２セグメント放送の受信感度が悪くなった場合には、１セグメント放送の映像及び音声出力に切り替えることになる。一方、現在受信中の放送データに１セグメント放送用のトランスポートストリームＴＳが含まれていない場合には（ステップＳ２３：Ｎ）、ステップＳ２８へ進む。
【００６５】
一方、ステップＳ２５では、システム制御部２４は、１セグメントデコーダ部１４から受信感度を示す情報を取得し、１セグメント放送の受信感度が閾値より低いか否かを判断し、閾値より低い場合には（ステップＳ２５：Ｙ）、ステップＳ２８に進み、閾値より低くない場合には（ステップＳ２５：Ｎ）、ステップＳ２６へ進む。
【００６６】
ステップＳ２６では、システム制御部２４は、１２セグメントデコーダ部１５から受信感度を示す情報を取得し、１２セグメント放送の受信感度が閾値より高いか否かを判断し、閾値より高くない場合には（ステップＳ２６：Ｎ）、ステップＳ２５に戻り、閾値より高い場合には（ステップＳ２６：Ｙ）、１２セグメントデコーダ部１５から供給された映像・音声データを選択出力するようにスイッチ部１６に対して選択切替信号を出力する（ステップＳ２７）。つまり、１２セグメント放送の受信感度が良くなった場合には、１２セグメント放送の１２セグメント放送の映像及び音声出力に切り替えることになる。
【００６７】
そして、ステップＳ２８に示すチャンネル切替処理では、図３に示す切替処理に移行（つまりステップＳ１に移行）し、上述した実施例１と同様の処理が行われる。これにより、１セグメント放送でも受信感度が低くなった場合にはじめて一の地域に対応するチャンネルから他の地域に対応するチャンネルに切り替ることが可能となる。なお、この実施例２では、実施例１においてステップＳ１に戻る代わりに図４に示すステップＳ２１に戻ることになる。
【００６８】
以上説明したように、実施例２によれば、１２セグメント放送に係る高画質の放送データが選択出力されている状態において当該１２セグメント放送の受信感度が閾値より低くなった場合に、まずは１セグメント放送に係る低画質の放送データを選択出力するように切替え、それでもなお受信感度が閾値より低い場合であって、且つ、一の地域から他の地域に変わった場合と判別された場合にはじめて、一の地域に対応するチャンネルから他の地域に対応するチャンネルに切り替え設定するように構成したので、ユーザにとって利便性を向上させる（使い勝手が良くなる）ことができる。
【００６９】
また、上記実施形態においては、地域の一例として、東京都、埼玉県、群馬県等とし、すなわち都道府県（行政区画）で区分されるようにしたので、当該地域の範囲と放送エリアの範囲をより近づけることが可能となり、現在位置が一の地域から他の地域に変わった場合に、より適切にその地域に合ったチャンネル(周波数帯域)に切り替えることができ、更に、上述したテーブルを含むデータ容量を最小限に抑えることが可能となり、テーブル検索処理時間も短縮する（検索パフォーマンスの向上）ことができる。ただし、地域の区分は都道府県とせずに、これより広い地域（例えば、関東、東北、関西地方等）で区分しても良いし、あるいは、狭い地域（例えば、市町村等）で区分しても良い。
【００７０】
また、地域の区分は行政区画にこだわらず、放送エリアの範囲に応じて適宜設定するようにしても良い。例えば、地図上を経度及び緯度で特定される小範囲で区切り（つまり、メッシュ状に区切り）、区切られた範囲（メッシュ範囲）を上述した「地域」とする（区切られたメッシュ範囲を更に細分化するように区切っても良い）ことも可能であるが、この場合、データベースの構築が大変でありその容量も増大し、かつ検索パフォーマンスも落ちるので、やはり、上記実施形態のように、行政区画、都道府県で区分される方が有利である。
【００７１】
また、上記実施形態においては、本願を移動体の一例としての自動車に搭載されたＴＶ受信機に適用したが、例えば、自動二輪車や船舶等に適用しても良いし、ＰＤＡ（Personal Digital Assistant）や携帯電話機等の携帯端末等の移動体に適用しても良い。
【００７２】
また、上記実施形態においては、本願を地上デジタル放送に適用したが、例えば、他の種類のインターネット放送等の放送（有線及び無線を問わない）に適用しても良い。
【図面の簡単な説明】
【００７３】
【図１】本実施形態に係る地上デジタルテレビ受信機Ｓの概要構成の一例を示す図である。
【図２】記憶部２２に記憶された各テーブルの内容の一部を示す図である。
【図３】実施例１におけるシステム制御部２４の切替処理を示すフローチャートである。
【図４】実施例２におけるシステム制御部２４の切替処理を示すフローチャートである。
【符号の説明】
【００７４】
１１  チューナ部
１２  復調・復号部
１３  分離部
１４  １セグメントデコーダ部
１５  １２セグメントデコーダ部
１６  スイッチ部
１７  映像処理部
１８  ディスプレイ
１９  音声処理部
２０  スピーカ
２１  ＧＰＳ部
２２  操作部
２３  記憶部
２４  システム制御部
Ｓ  地上デジタルテレビ受信機（ＴＶ受信機）
【図１】
2007311987.tif 000003
【図２】
2007311987.tif 000004
【図３】
2007311987.tif 000005
【図４】
2007311987.tif 000006